(57)【特許請求の範囲】
【請求項１】
正面視門型の壁パネルに、サッシ枠を取付けるサッシ枠の取付け方法であって、
帯状の第１離型紙および第２離型紙によって接着面が幅方向に二分割されるようにして保護されている防水テープを用意し、防水テープの第２離型紙側を前記開口部側に向け、かつ、第１離型紙を剥がすことで露出する第１接着面を前記壁パネルの開口縁部のうちの外側の部位に接着しておき、
次に、前記壁パネルの表面に、外装材を取付けるとともに、この外装材によって前記第１接着面側の防水テープの少なくとも一部を覆い、
次に、前記サッシ枠を、その外周側のフィンが前記開口縁部のうちの内側の部位の一部に当接するようにして、壁パネルに配置し、
次に、前記第２離型紙を剥がすことで露出する第２接着面を前記フィンと開口縁部のうちの内側の部位の他部に接着することを特徴とするサッシ枠の取付け方法。
【請求項２】
請求項１記載のサッシ枠の取付け方法において、
前記第２接着面を前記フィンと開口縁部のうちの内側の部位の他部に接着する前では、該第２接着面が壁パネルの開口縁部より延出しており、前記第２接着面を前記フィンと開口縁部のうちの内側の部位の他部に接着するとともに、該第２接着面の前記延出した部分をサッシ枠に接着することを特徴とするサッシ枠の取付け方法。
【請求項３】
請求項１または２記載のサッシ枠の取付け方法において、
前記第１接着面を前記壁パネルの開口縁部のうちの外側の部位に接着する前に、前記壁パネルの表面に防水透湿シートを取付けておき、前記壁パネルの開口縁部のうちの外側の部位に位置する防水透湿シートの縁部に、前記第１接着面を接着することを特徴とするサッシ枠の取付け方法。
【請求項４】
請求項３記載のサッシ枠の取付け方法において、
前記防水透湿シートの表面に、防水テープの第１接着面を貼り付ける位置を記しておくことを特徴とするサッシ枠の取付け方法。
【請求項５】
請求項１〜４のいずれかに記載のサッシ枠の取付け方法において、
前記第１接着面より第２接着面が幅広に形成されていることを特徴とするサッシ枠の取付け方法。
【発明の詳細な説明】
【０００１】
【発明の属する技術分野】
本発明は、住宅における外装材付き壁パネルに取付けられるサッシ枠の取付け方法に関する。
【０００２】
【背景の技術】
近年、住宅の構築についてはその工業化が進み、例えば壁や床、屋根といった構成要素を予め工場にてパネル化しておき、施工現場でこれらのパネルを組み立てることにより、住宅を構築するといったパネル工法が一部に採用されている。このようなパネル工法に用いられるパネルとして、例えば、図５に示すような壁パネル１が知られている。
【０００３】
図５に示す壁パネル１は、縦框材１ａ、１ａと横框材１ｂ、１ｂとが矩形状に組み立てられるとともに、この矩形枠の内部に補強桟材２が縦横に組まれて枠体３が形成され、さらにこの枠体３内にグラスウールなどの断熱材（図示しない）が充填された状態で枠体３の表裏面に合板などの面材４、４が貼設されたものである。そして、外壁パネルでは、更に現場での施工を簡略にするため、前記面材４に胴縁を取付け、その上に外装材を貼設する、いわゆる艤装を行っているものがある。
【０００４】
この場合、例えば、特開２００１−１５２５６６号公報に開示された技術が知られている。この技術は、建物の外壁となる複数の壁パネルと、この壁パネルの外面側を覆うように設けられる防水シートと、この防水シート上から壁パネルに取付けられる外装材とから外装材付き壁パネルが形成され、この外装材付き壁パネルが建築現場に搬送されるともに設置されてなるものである。
【０００５】
また、開口部を有する外装材付き壁パネルは、工場において、開口部の左右に壁パネルを配置し、開口部の上に小壁パネル等を配置し、開口部が床面より高い場合に、開口部の下に腰壁パネルを配置して、これらを連結することによって、開口部を有する壁パネルを構築し、この壁パネルの面材に胴縁を介して、外装材を取付けることで形成される。そして、前記外装材付き壁パネルを現場に搬送することで、開口部を有する壁の施工が省力化されている。
【０００６】
【発明が解決しようとする課題】
ところで、開口部を有する壁に玄関等のドアサッシ枠を取付ける場合には、上述のように開口部の下に腰壁パネルを配置しないので、壁パネルは正面視門型に形成される。この正面視門型に形成された壁パネルに外装材を取付けて、外装材付き壁パネルとして現場に搬送する場合には、外装材を前記壁パネルに取付ける前に、該壁パネルの開口縁部にドアサッシ枠を取付けるとともに、開口縁部の防水対策として、ドアサッシ枠の外周側のフィンと開口縁部とに防水テープを貼設し、その後、外装材を壁パネルに防水テープを覆うようにして取付けている。
【０００７】
しかしながら、正面視門型に形成された壁パネルをクレーン等で吊り上げる際には、前記壁パネルに緊締されたロープによって、前記壁パネルは、小壁パネルを中心に該壁パネルの厚さ方にねじられることがある。このため、前記壁パネルの開口縁部にドアサッシ枠を取付けると、このねじれにより、ドアサッシ枠が破損する恐れがあり、開口部にドアサッシ枠を取付けることができなかった。壁パネルの開口縁部にドアサッシ枠を取付けることができないと、当然、開口縁部とドアサッシ枠のフィンとに防水テープを貼り付けることができない。一方、外装材は防水テープを覆うようにして壁パネルに取付ける必要がある。したがって、ドアサッシ枠を壁パネルの開口縁部に取付けないとすると、外装材を予め壁パネルに取付けることができない。このように門型の壁パネルは、予め工場で外装材を取付けて、外装材付き壁パネルとして、現場に搬送することができなかったので、現場で外装材を取付けており、その結果、現場での外装材の取付作業に手間がかかっていた。
【０００８】
本発明の課題は、門型の壁パネルに予め工場等で外装材を取付けておいても、ドアサッシ枠を現場で外装材付き壁パネルの開口縁部に後付けすることができるサッシ枠の取付け方法を提供することである。
【０００９】
【課題を解決するための手段】
以上の課題を解決するため、請求項１記載の発明は、例えば図１〜図５に示すように、正面視門型の壁パネル１０に、サッシ枠２を取付けるサッシ枠２の取付け方法であって、帯状の第１離型紙３ａおよび第２離型紙３ｂによって接着面が幅方向に二分割されるようにして保護されている防水テープ３を用意し、防水テープ３の第２離型紙３ｂ側を前記開口部４側に向け、かつ、第１離型３紙ａを剥がすことで露出する第１接着面６を前記壁パネル１０の開口縁部５（方立１５、１５および小壁パネル２０の下端部２０ａ）のうちの外側の部位に接着しておき、次に、前記壁パネル１０の表面１０ａに、外装材９を取付けるとともに、この外装材９によって前記第１接着面６側の防水テープ３の少なくとも一部を覆い、次に、前記サッシ枠２を、その外周側のフィン２ａが前記開口縁部５のうちの内側の部位の一部に当接するようにして、壁パネル１０に配置し、次に、前記第２離型紙３ｂを剥がすことで露出する第２接着面７を前記フィン２ａと開口縁部５のうちの内側の部位の他部に接着することを特徴とする。
【００１０】
請求項１記載の発明によれば、前記防水テープ３の第２離型紙３ｂ側を前記開口部４側に向け、かつ、第１離型紙３ａを剥がすことで露出する第１接着面６を前記壁パネル１０の開口縁部５のうちの外側の部位に接着し、前記壁パネル１０の表面１０ａに、外装材９を取付けるとともに、この外装材９によって前記第１接着面６側の防水テープ３の少なくとも一部を覆うことによって、門型の壁パネル１０に外装材を取付けることができる。次に、前記サッシ枠２を、その外周側のフィン２ａが前記開口縁部５のうちの内側の部位の一部に当接するようにして、壁パネル１０に配置して、前記第２離型紙３ｂを剥がすことで露出する第２接着面７を前記フィン２ａと開口縁部５のうちの内側の部位の他部に接着するので、サッシ枠２を現場で外装材９付き壁パネル１０の開口縁部５に後付けすることができる。
【００１１】
請求項２記載の発明は、例えば図１〜図５に示すように、請求項１記載のサッシ枠２の取付け方法において、前記第２接着面７を前記フィン２ａと開口縁部５のうちの内側の部位の他部に接着する前では、該第２接着面７が壁パネル１０の開口縁部５より延出しており、前記第２接着面７を前記フィン２ａと開口縁部５のうちの内側の部位の他部に接着するとともに、該第２接着面７の前記延出した部分をサッシ枠２に接着することを特徴とする。
【００１２】
請求項２記載の発明によれば、前記第２接着面７を前記フィン２ａと開口縁部５のうちの内側の部位の他部に接着するとともに、該第２接着面７の前記延出した部分をサッシ枠２に接着することによって、サッシ枠２と開口縁部５との防水をより確実なものとすることができる。
【００１３】
請求項３記載の発明は、例えば図１〜図５に示すように、請求項１または２記載のサッシ枠２の取付け方法において、前記第１接着面６を前記壁パネル１０の開口縁部５のうちの外側の部位に接着する前に、前記壁パネル１０の表面１０ａに防水透湿シート１１を取付けておき、前記壁パネル１０の開口縁部５のうちの外側の部位に位置する防水透湿シートの縁部１１ｂに、前記第１接着面６を接着することを特徴とする。
【００１４】
請求項３記載の発明によれば、前記開口縁部５のうちの外側の部位に位置する防水透湿シート１１の縁部１１ｂに、前記第１接着面６を接着することによって、防水透湿シート１１の縁部１１ａを壁パネル１０の開口縁部５に確実に接着できるとともに、防水透湿シート１１の縁部１１ａの止水を確実に行える。
【００１５】
請求項４記載の発明は、例えば図１〜図５に示すように、請求項３記載のサッシ枠２の取付け方法において、
前記防水透湿シート１１の表面１１ａに、防水テープ３の第１接着面６を貼り付ける位置を記しておくことを特徴とする。
【００１６】
請求項４記載の発明によれば、前記防水透湿シート１１の表面１１ａに、防水テープ３の第１接着面６を貼り付ける位置を記しておくことによって、前記第１接着面６を前記防水透湿シート１１に貼り付ける際の位置合わせが容易になる。
【００１７】
請求項５記載の発明は、例えば図１〜図５に示すように、請求項１〜４のいずれかに記載のサッシ枠２の取付け方法において、
前記第１接着面６より第２接着面７が幅広に形成されていることを特徴とする
【００１８】
請求項５記載の発明によれば、前記第１接着面６より第２接着面７が幅広に形成されているので、サッシ枠２のフィン２ａを開口縁部５に当接する際に、第２接着面７側を大きくめくり上げて容易にフィン２ａを開口縁部５に当接でき、さらには、フィン２ａの大きさが異なった場合でも、前記第２接着面７によって、確実に前記フィン２ａを覆うことができる。
【００１９】
【発明の実施の形態】
以下、図１〜図５を参照して本発明の実施の形態を詳細に説明する。なお、本実施の形態のサッシ枠の取付け方法は、予め工場で製造された木質パネルを現場で組み付けることにより、床、壁、屋根などを構築するパネル工法を用いて構築された住宅に適用したものとして説明する。
【００２０】
本実施の形態は、壁パネル１０に、サッシ枠２を取付けるサッシ枠２の取付け方法であって、帯状の第１離型紙３ａおよび第２離型紙３ｂによって接着面が幅方向に二分割されるようにして保護されている防水テープ３を用意する。ここで、前記防水テープ３の第２離型紙３ｂの幅は、第１離型紙３ａの幅より広く形成されている。
【００２１】
前記壁パネル１０は、玄関用のドアサッシが取付けられる開口部４を有する壁体であって、開口部４の左右に壁パネル１を配置し、開口部４の上に小壁パネル２０を配置して、これらを連結することによって正面視門型に形成されている。そして、左右に配置された壁パネル１の開口部４側に対向配置されたそれぞれの縦框材１ａ、１ａには、それぞれ方立１５、１５が取付けられている。
【００２２】
前記サッシ枠２は、正面視門型に形成された枠体であって、該サッシ枠２の外周側に前記方立１５、１５および小壁パネル２０の下端部２０ａ（開口縁部５）に当接されるフィン２ａを備えている。
【００２３】
まず、工場において、図１に示すように、前記壁パネル１０を製造し、前記壁パネル１０の表面１０ａに防水透湿シート１１を取付ける。前記防水透湿シート１１は、壁パネル１０の外形と略同一寸法に形成されたもので、前記壁パネル１０に接着剤やステープル等によって貼設される。ここで、前記防水透湿シート１１は、水を透過せず水蒸気は透過するミクロなポアを有するシートからなるもので、具体的には、タイペック（商品名：デュポン社製）等からなるものである。
【００２４】
そして、図２（ａ）、図３（ａ）および（ｂ）に示すように、前記壁パネル１０のそれぞれの方立１５、１５のうちの外側の部位に位置する防水透湿シートの縁部１１ｂの表面１１ａに、該第２接着面７が壁パネル１０の方立１５より延出するようにして、防水テープ３の第１接着面６を貼り付ける位置をそれぞれ墨だしする。そして、防水テープ３の第２離型紙３ｂ側を前記開口部４側に向け、かつ、第１離型３紙ａを剥がすことで露出する第１接着面６を、前記墨だした位置にそれぞれ接着する。また、同様にして、前記小壁パネル２０の下端部２０ａにも、前記防水テープ３（図示しない）を接着する。
【００２５】
次に、前記防水透湿シート１１が取付けられた前記壁パネル１０の表面１１ａに、扁平な帯板状に形成され、前記壁パネル１０の下端部表面１１ｃに取付けられる下耳部１３と、前記下耳部１３の上方に取付けられ、上下方向に所定間隔離間し、水平方向に延在する角材で形成された複数の胴縁１２とを介して、外装材９を取付けるとともに、この外装材９によってそれぞれの前記第１接着面６側の防水テープ３の少なくとも一部を覆う。そして、前記壁パネル１０を、外装材９付き壁パネル１０として、建築現場に搬送し、玄関の基礎に設置する。
【００２６】
次に、図２（ｂ）および図４に示すように、前記サッシ枠２を、その外周側のフィン２ａが前記方立１５、１５および前記下端部２０ａのうちの内側の部位の一部に当接するようにして、壁パネル１０に配置し、ビスなどの止着材Ａによって、前記方立１５、１５および前記下端部２０ａに取付ける。そして、前記第２離型紙３ｂを剥がすことで露出する第２接着面７を前記フィン２ａと前記方立１５、１５および前記下面のうちの内側の部位の他部にそれぞれ接着するとともに、該第２接着面７の前記延出した部分をサッシ枠２の側面２ｂおよび下面にそれぞれ接着する。
【００２７】
以上のように、本実施の形態によれば、以下のような効果が得られる。
▲１▼前記防水テープ３の第２離型紙側を前記開口部４側に向け、かつ、第１離型紙３ａを剥がすことで露出する第１接着面６を前記壁パネル１０の前記方立１５、１５および前記下端部２０ａにそれぞれ接着し、防水透湿シート１１が取付けられた壁パネル１０の表面１１ａに、胴縁１２と下耳部１３とを介して、外装材９を取付けるとともに、この外装材９によってそれぞれの前記第１接着面６側の防水テープ３の少なくとも一部を覆うことによって、門型の壁パネル１０に外装材９を取付けることができる。次に、前記サッシ枠２を、その外周側のフィン２ａが前記方立１５、１５および前記下端部２０ａに当接するようにして、壁パネル１０に配置して、前記第２離型紙３ｂを剥がすことで露出するそれぞれの第２接着面７を前記フィン２ａと、前記方立１５、１５および前記下端部２０ａにそれぞれ接着するので、サッシ枠２を現場で外装材９付き壁パネル１０の前記方立１５、１５および前記下端部２０ａに後付けすることができる。
【００２８】
▲２▼前記第２接着面７を前記フィン２ａと前記方立１５、１５および前記下端部２０ａにそれぞれ接着するとともに、該第２接着面７の前記延出した部分をサッシ枠２に接着することによって、サッシ枠２の側面２ｂおよび下面までそれぞれの前記第２接着面７で覆われ、サッシ枠２と、前記方立１５、１５および前記下端部２０ａとの防水を確実なものとすることができる。
【００２９】
▲３▼前記方立１５、１５および前記下端部２０ａに位置するそれぞれの防水透湿シート１１の表面１１ａに、前記第１接着面６をそれぞれ接着することによって、防水透湿シート１１の縁部１１ａを壁パネル１０の前記方立１５、１５および前記下端部２０ａに確実に接着できるとともに、防水透湿シート１１の縁部１１ａの止水を確実に行える。
【００３０】
▲４▼前記方立１５、１５および前記下端部２０ａに位置するそれぞれの防水透湿シート１１の表面１１ａに、防水テープ３の第１接着面６を貼り付ける位置をそれぞれ墨だしすることよって、それぞれの前記第１接着面６を前記防水透湿シート１１に貼り付ける際の位置合わせが容易になる。
【００３１】
▲５▼前記第１離型紙３ａより前記第２離型紙３ｂが幅広に形成されているので、前記第２接着面７の幅が前記第１接着面６の幅より広くなり、サッシ２のフィン２ａを前記方立１５、１５および前記下端部２０ａに当接する際に、第２接着面７を大きくめくり上げて容易にフィン２ａを前記方立１５、１５および前記下端部２０ａに当接でき、さらには、フィン２ａの大きさが異なった場合でも、それぞれの前記第２接着面７によって、確実に前記フィン２ａを覆うことができる。
【００３２】
【発明の効果】
請求項１記載の発明によれば、前記防水テープの第２離型紙側を前記開口部側に向け、かつ、第１離型紙を剥がすことで露出する第１接着面を前記壁パネルの開口縁部のうちの外側の部位に接着し、前記壁パネルの表面に、外装材を取付けるとともに、この外装材によって前記第１接着面側の防水テープの一部を覆うことによって、門型の壁パネルに外装材を取付けることができる。次に、前記サッシ枠を、前記フィンが前記開口縁部のうちの内側の部位の一部に当接するようにして、壁パネルに配置し、前記第２接着面を前記フィンと開口縁部のうちの内側の部位の他部に接着するので、サッシ枠を現場で外装材付き壁パネルの開口縁部に後付けすることができる。
【００３３】
請求項２記載の発明によれば、請求項１と同様の効果を得られることは勿論のこと、前記第２接着面を前記フィンと開口縁部のうちの内側の部位の他部に接着するとともに、該第２接着面の前記延出した部分をサッシ枠に接着することによって、サッシ枠と開口縁部との防水をより確実なものとすることができる。
【００３４】
請求項３記載の発明によれば、請求項１または２と同様の効果を得られることは勿論のこと、前記開口縁部のうちの外側の部位に位置する防水透湿シートの縁部に、前記第１接着面を接着することによって、防水透湿シートの縁部を壁パネルの開口縁部に確実に接着できるとともに、防水透湿シートの縁部の止水を確実に行える。
【００３５】
請求項４記載の発明によれば、請求項１〜３のいずれかと同様の効果を得られることは勿論のこと、前記防水透湿シートの表面に、前記第１接着面を貼り付ける位置を記しておくことによって、前記第１接着面を前記防水透湿シートに貼り付ける際の位置合わせが容易になる。
【００３６】
請求項５記載の発明によれば、請求項１〜４のいずれかと同様の効果を得られることは勿論のこと、前記第１接着面より第２接着面が幅広に形成されているので、前記フィンを開口縁部に当接する際に、第２接着面側を大きくめくり上げて容易にフィンを開口縁部に当接でき、さらには、前記フィンの大きさが異なった場合でも、前記フィンを確実に前記第２接着面で覆うことができる。
【図面の簡単な説明】
【図１】本発明の実施の形態の一例を示すもので、壁パネルに取付けられる各部材を示した壁パネルの斜視図である。
【図２】同、外装材付き壁パネルにサッシ枠が取付けられる前の状態を示した外装材付き壁パネルの斜視図である（ａ）。同、サッシ枠が取付けられた外装材付き壁パネルの斜視図である（ｂ）。
【図３】同、防水テープの正面図である（ａ）。同、防水テープが貼り付けられた壁パネルの正面図である（ｂ）。
【図４】同、サッシ枠が取付けられた壁パネルの平断面図である。
【図５】壁パネルの一例を示した斜視図である。
【符号の説明】
２      サッシ枠
２ａ    フィン
３      防水テープ
３ａ    第１離型紙
３ｂ    第２離型紙
４      開口部
５      開口縁部（方立および小壁パネルの下端部）
６      第１接着面
７      第２接着面
９      外装材
１０    壁パネル
１０ａ  表面（壁パネル）
１１    防水透湿シート
１１ａ  表面（防水シート）
１１ｂ  縁部（防水シート）
【図１】
0004880834.tif 000002
【図２】
0004880834.tif 000003
【図３】
0004880834.tif 000004
【図４】
0004880834.tif 000005
【図５】
0004880834.tif 000006